(57)【要約】【課題】誤配線保護のために必要となる基板スペース及びコストについて、省スペース及び省コストで誤配線保護を実施することができる冷凍サイクル装置を得る。【解決手段】３端子レギュレータＩＣ１１２の出力端子を、マイコン２１及びリセットＩＣ２２に接続し、そのリセットＩＣ２２の出力端子を、マイコン２１に接続し、そして、ＶＤＤ１２Ｖを生成している平滑コンデンサＣ１１３の両端に、適切な負荷抵抗Ｒ１を接続した。【選択図】図４
2011058800.tif 000002
【特許請求の範囲】
【請求項１】
少なくとも３本の線によって互いの接続端を経由して接続される利用側ユニット及び熱源側ユニットを備え、
該利用側ユニット及び該熱源側ユニットは、それぞれ通信回路を有し、
前記利用側ユニット及び前記熱源側ユニットのうち一方の機器は、
交流電源から交流電圧を受電し、
前記利用側ユニット及び前記熱源側ユニットのうち他方の機器に対して、前記３本の線のうち２本の線を、交流ラインとして利用することによって、前記接続端を経由して給電し、もう１本の線及び前記交流ラインの一方の線を、前記通信回路を構成する通信ラインとして利用することによって、カレントループを形成し、前記接続端を経由して通信を実施し、
前記他方の機器は、
前記交流ラインから供給される交流電圧を直流電圧に変換する電源回路と、
前記通信回路を制御するマイコンと、
該マイコンに供給されるマイコン駆動電源電圧を監視し、該マイコン駆動電源電圧が所定の電圧よりも低い場合は前記マイコンにリセットをかけて駆動させないようにするリセット手段と、
を有し、
前記電源回路は、前記３本の線の誤配線時に、前記マイコンのリセット状態を解除させないようにするリセット解除阻止手段を有し、
前記３本の線の誤配線時に、前記リセット解除阻止手段が前記マイコンをリセット状態に維持しその駆動を阻止することによって、前記通信回路を遮断状態に維持する
ことを特徴とする冷凍サイクル装置。
【請求項２】
前記電源回路は、
前記交流ラインから供給される交流電圧を整流及び平滑する１次側回路と、
該１次側回路とトランスを介して接続され、該トランスによって変換された電圧を整流する２次側整流手段と、その整流された電圧を平滑する２次側平滑コンデンサとを有する２次側回路と、
を有し、
前記リセット解除阻止手段は、前記２次側平滑コンデンサに並列に接続される２次側負荷抵抗から構成されている
ことを特徴とする請求項１記載の冷凍サイクル装置。
【請求項３】
前記電源回路は、
前記交流ラインから供給される交流電圧を整流する１次側整流手段と、その整流された電圧を平滑する１次側平滑コンデンサとを有する１次側回路と、
該１次側回路とトランスを介して接続され、該トランスによって変換された電圧を整流及び平滑する２次側回路と、
を有し、
前記リセット解除阻止手段は、前記１次側平滑コンデンサに並列に接続される１次側負荷抵抗から構成されている
ことを特徴とする請求項１記載の冷凍サイクル装置。
【請求項４】
前記リセット手段は、前記マイコン駆動電源電圧が前記所定の電圧より高くなってから所定の遅延時間経過後に、リセットを解除する
ことを特徴とする請求項１〜請求項３のいずれかに記載の冷凍サイクル装置。
【請求項５】
少なくとも３本の線によって互いの接続端を経由して接続される利用側ユニット及び熱源側ユニットを備え、
該利用側ユニット及び該熱源側ユニットは、それぞれ通信回路を有し、
前記利用側ユニット及び前記熱源側ユニットのうち一方の機器は、
交流電源から交流電圧を受電し、
前記利用側ユニット及び前記熱源側ユニットのうち他方の機器に対して、前記３本の線のうち２本の線を、交流ラインとして利用することによって、前記接続端を経由して給電し、もう１本の線及び前記交流ラインの一方の線を、前記通信回路を構成する通信ラインとして利用することによって、カレントループを形成し、前記接続端を経由して通信を実施し、
前記他方の機器は、
前記交流ラインから供給される交流電圧を直流電圧に変換する電源回路と、
前記通信回路を制御するマイコンと、
該マイコンに供給されるマイコン駆動電源電圧を監視し、該マイコン駆動電源電圧が所定の電圧よりも低い場合は前記マイコンにリセットをかけて駆動させないようにするリセット手段と、
を有し、
前記リセット手段は、前記マイコン駆動電源電圧が前記所定の電圧より高くなってから所定の遅延時間経過後に、リセットを解除することで
前記３本の線の誤配線時に、前記リセット手段が前記マイコンをリセット状態に維持しその駆動を阻止することによって、前記通信回路を遮断状態に維持する
ことを特徴とする冷凍サイクル装置。
【請求項６】
前記電源回路は、前記マイコンがリセット解除状態のとき前記２次側負荷抵抗に流れる電流を遮断する
ことを特徴とする請求項２記載の冷凍サイクル装置。
【請求項７】
前記電源回路は、前記２次側負荷抵抗に直列に接続される負荷電流遮断手段を有し、
該負荷電流遮断手段は、前記リセット手段のリセット信号出力時に、遮断状態となることによって前記２次側負荷抵抗に流れる電流を遮断する
ことを特徴とする請求項６記載の冷凍サイクル装置。
【請求項８】
前記マイコンは、前記リセット手段によってリセットが解除されてから所定の遅延時間経過後に、前記通信回路による通信を開始させる
ことを特徴とする請求項１〜請求項７のいずれかに記載の冷凍サイクル装置。
【請求項９】
少なくとも３本の線によって互いの接続端を経由して接続される利用側ユニット及び熱源側ユニットを備え、
該利用側ユニット及び該熱源側ユニットは、それぞれ通信回路を有し、
前記利用側ユニット及び前記熱源側ユニットのうち一方の機器は、
交流電源から交流電圧を受電し、
前記利用側ユニット及び前記熱源側ユニットのうち他方の機器に対して、前記３本の線のうち２本の線を、交流ラインとして利用することによって、前記接続端を経由して給電し、もう１本の線及び前記交流ラインの一方の線を、前記通信回路を構成する通信ラインとして利用することによって、カレントループを形成し、前記接続端を経由して通信を実施し、
前記他方の機器は、
前記交流ラインから供給される交流電圧を直流電圧に変換する電源回路と、
前記通信回路を制御するマイコンと、
該マイコンに供給されるマイコン駆動電源電圧を監視し、該マイコン駆動電源電圧が所定の電圧よりも低い場合は前記マイコンにリセットをかけて駆動させないようにするリセット手段と、
を有し、
前記マイコンは、前記リセット手段によってリセットが解除されてから所定の遅延時間経過後に、前記通信回路による通信を開始させることで
前記３本の線の誤配線時に、前記リセット手段が前記マイコンをリセット状態に維持しその駆動を阻止することによって、前記通信回路を遮断状態に維持する
ことを特徴とする冷凍サイクル装置。
【請求項１０】
少なくとも３本の線によって互いの接続端を経由して接続される利用側ユニット及び熱源側ユニットを備え、
該利用側ユニット及び該熱源側ユニットは、それぞれ通信回路を有し、
前記利用側ユニット及び前記熱源側ユニットのうち一方の機器は、
交流電源から交流電圧を受電し、
前記利用側ユニット及び前記熱源側ユニットのうち他方の機器に対して、前記３本の線のうち２本の線を、交流ラインとして利用することによって、前記接続端を経由して給電し、もう１本の線及び前記交流ラインの一方の線を、前記通信回路を構成する通信ラインとして利用することによって、カレントループを形成し、前記接続端を経由して通信を実施し、
前記他方の機器は、
前記交流ラインから供給される交流電圧を直流電圧に変換する電源回路と、
前記通信回路を制御するマイコンと、
を有し、
前記電源回路は、
前記交流ラインから供給される交流電圧を整流する１次側整流手段と、その整流された電圧を平滑する１次側平滑コンデンサとを有する１次側回路と、
前記電源回路に交流電圧を供給する前記交流ラインの電圧もしくは前記１次側平滑コンデンサにかかる電圧を検出する低入力電圧検出手段と、
１次側のエネルギーを２次側へ伝達するためのスイッチング手段と、
を有し、
該低入力電圧検出手段が所定の電圧よりも低い電圧を検出した場合には、前記スイッチング手段は、スイッチングしないことで
前記３本の線の誤配線時に、２次側にエネルギーを伝達させないことにより２次側の電源が立ち上がらないようにし、前記マイコンを起動させないことによって、前記通信回路を遮断状態に維持する
ことを特徴とする冷凍サイクル装置。
【請求項１１】
請求項１〜請求項１０のいずれかに記載の冷凍サイクル装置を搭載した
ことを特徴とする空気調和機。
【請求項１２】
請求項１〜請求項１０のいずれかに記載の冷凍サイクル装置を搭載した
ことを特徴とする給湯器。
【発明の詳細な説明】
【技術分野】
【０００１】
本発明は、冷凍サイクル装置、並びにそれを備えた空気調和機及び給湯器に係り、特に、給電線及び通信線で接続される２つの機器においてその誤配線に対する内部回路の保護に関するものである。
【背景技術】
【０００２】
従来の給電線及び信号線の誤配線時における内部回路を構成する基板及び電子部品等の保護機能を有する冷凍サイクル装置を搭載した空気調和機として、通信回路端子部に過電圧検出器を設け、その出力であるリレー接点を通信回路に直列に接続し、その通信回路に過電圧が印加された時、直ちにその通信回路を通信回路端子から電気的に切り離すものがある（例えば、特許文献１参照）。
【先行技術文献】
【特許文献】
【０００３】
【特許文献１】特開平７−２１７９７２号公報
【発明の概要】
【発明が解決しようとする課題】
【０００４】
しかしながら、上記冷凍サイクル装置においては、誤配線保護のために過電圧検出器が必要であり、さらには回路切断用のリレーも必要となるため、広い基板スペースが必要となったり、部品及び実装のコストが高くなる等の問題点があった。
【０００５】
本発明は、上記のような課題を解決するためになされたものであり、誤配線保護のために必要となる基板スペース及びコストについて、省スペースもしくはスペース０又は省コストもしくはコスト０で誤配線保護を実施することができる冷凍サイクル装置を得ることを目的とする。
【課題を解決するための手段】
【０００６】
本発明に係る冷凍サイクル装置は、少なくとも３本の線によって互いの接続端を経由して接続される利用側ユニット及び熱源側ユニットを備え、該利用側ユニット及び該熱源側ユニットは、それぞれ通信回路を有し、前記利用側ユニット及び前記熱源側ユニットのうち一方の機器は、交流電源から交流電圧を受電し、前記利用側ユニット及び前記熱源側ユニットのうち他方の機器に対して、前記３本の線のうち２本の線を、交流ラインとして利用することによって、前記接続端を経由して給電し、もう１本の線及び前記交流ラインの一方の線を、前記通信回路を構成する通信ラインとして利用することによって、カレントループを形成し、前記接続端を経由して通信を実施し、前記他方の機器は、前記交流ラインから供給される交流電圧を直流電圧に変換する電源回路と、前記通信回路を制御するマイコンと、該マイコンに供給されるマイコン駆動電源電圧を監視し、該マイコン駆動電源電圧が所定の電圧よりも低い場合は前記マイコンにリセットをかけて駆動させないようにするリセット手段と、を有し、前記電源回路は、前記３本の線の誤配線時に、前記マイコンのリセット状態を解除させないようにするリセット解除阻止手段を有し、前記３本の線の誤配線時に、前記リセット解除阻止手段が前記マイコンをリセット状態に維持しその駆動を阻止することによって、前記通信回路を遮断状態に維持することを特徴とする。
【発明の効果】
【０００７】
本発明に係る冷凍サイクル装置は、リセット解除阻止手段によって、リセット手段によるマイコンのリセットを解除をさせないようにすることができるので、通信回路を遮断状態に維持し、通信回路の保護が可能となる。
【図面の簡単な説明】
【０００８】
【図１】実施の形態１に係る冷凍サイクル装置における構成回路の概略図である。
【図２】室外機における熱源側ユニットと室内機における利用側ユニットとの配線誤配線の組み合わせを示す図（パターン（１）〜パターン（３））である。
【図３】室外機における熱源側ユニットと室内機における利用側ユニットとの配線の誤配線の組み合わせを示す図（パターン（４）及びパターン（５））である。
【図４】実施の形態２に係る冷凍サイクル装置の室内機における利用側ユニット５２の電源回路１１の概略図である。
【図５】誤配線時における２次側の電圧波形である。
【図６】実施の形態４に係る冷凍サイクル装置における誤配線時においてリセット解除まで遅延を持たせた場合の２次側電圧波形図である。
【図７】実施の形態５に係る冷凍サイクル装置の正常配線時の運転中において負荷抵抗における消費電力を０とする電源回路図である。
【図８】実施の形態６に係る冷凍サイクル装置におけるマイコンのプログラムによって設けられた通信開始遅延時間を示す図である。
【図９】実施の形態７に係る冷凍サイクル装置における構成回路の概略図である。
【図１０】実施の形態１〜実施の形態７に係る冷凍サイクル装置を空気調和機に搭載した場合の構成図の例である。
【図１１】実施の形態１〜実施の形態７に係る冷凍サイクル装置を給湯器に搭載した場合の構成図の例である。
【発明を実施するための形態】
【０００９】
実施の形態１．
図１は、実施の形態１に係る冷凍サイクル装置における構成回路の概略図であり、図２は、室外機における熱源側ユニットと室内機における利用側ユニットとの配線の誤配線の組み合わせを示す図（パターン（１）〜パターン（３））であり、そして、図３は、室外機における熱源側ユニットと室内機における利用側ユニットとの配線の誤配線の組み合わせを示す図（パターン（４）及びパターン（５））である。
Ｓ１、Ｓ２及びＳ３は室外機における熱源側ユニット５１及び室内機における利用側ユニット５２の端子台の端子番号であり、室内外端子番号を一致させるように配線するのが正常配線である。
【００１０】
まず、室外機における熱源側ユニット５１の回路構成について説明する。
熱源側ユニット５１の外部の交流電源１は、熱源側ユニット５１内に設置されている電源回路２の両端に接続されている。直列に接続されたダイオードＤ６０２、抵抗Ｒ６０７及びツェナーダイオードＺＤ６０２が、電源回路２の両端に並列に接続されており、電源回路２とダイオードＤ６０２とを接続する接続点は端子Ｓ１に接続され、電源回路２とツェナーダイオードＺＤ６０２の接続点は端子Ｓ２に接続されている。そして、そのツェナーダイオードＺＤ６０２の両端には、コンデンサＣ６０３が並列に接続されており、上記のダイオードＤ６０２、抵抗Ｒ６０７、ツェナーダイオードＺＤ６０２及びコンデンサＣ６０３によって通信電源生成回路３が構成されている。
【００１１】
抵抗Ｒ６０７とツェナーダイオードＺＤ６０２との接続点から、直列に送信フォトカプラＰＣ６０２、受信フォトカプラＰＣ６０１、ダイオードＤ６０１、抵抗Ｒ６０１の順に接続されており、その抵抗Ｒ６０１の他端は、端子台の端子Ｓ３に接続されている。また、受信フォトカプラＰＣ６０１の両端には、抵抗Ｒ６０２及びコンデンサＣ６０２がそれぞれ並列に接続されている。そして、端子Ｓ３から端子Ｓ２の間は、直列に接続された抵抗Ｒ６０５、ダイオードＤ６０５及び抵抗Ｒ６０３によって接続されている。その抵抗Ｒ６０３の両端には、フォトカプラＰＣ６０３が並列に接続されており、上記の抵抗Ｒ６０５、ダイオードＤ６０５、抵抗Ｒ６０３、フォトカプラＰＣ６０３及び図１には示していないその他の部品によって誤接続検知回路４が構成されている。
【００１２】
次に、室内機における利用側ユニット５２の回路構成について説明する。
端子Ｓ３から、抵抗Ｒ１３２、ダイオードＤ１３２、受信フォトカプラＩＣ１３２、送信フォトカプラＩＣ１３１の順に直列に接続され、最後に端子Ｓ２に接続され、通信回路を構成している。また、直列に接続されている受信フォトカプラＩＣ１３２及び送信フォトカプラＩＣ１３１の両端には、ダイオードＤ１３１及びコンデンサＣ１３４がそれぞれ並列に接続されている。そして、受信フォトカプラＩＣ１３２の両端には、抵抗Ｒ１３３及びコンデンサＣ１３３がそれぞれ並列に接続されている。
【００１３】
端子Ｓ１及び端子Ｓ２には、電源回路１１が接続されている。また、その電源回路１１の両端には、直列に接続されたダイオードＤ１２２、抵抗Ｒ１２１及びダイオードＤ１２１が、並列に接続されている。そして、そのダイオードＤ１２２の両端には、フォトカプラＩＣ１２１が接続されており、上記のダイオードＤ１２２、抵抗Ｒ１２１、ダイオードＤ１２１及びフォトカプラＩＣ１２１及び図１には示していないその他の部品で構成される部品によってゼロクロス回路１２が構成されている。
【００１４】
次に、図１に示されているように、熱源側ユニット５１及び利用側ユニット５２の端子台の配線が正常に実施されている場合の回路の動作について説明する。
交流電源１は、電源回路２に交流電圧を供給し、その電源回路２は、内部ＩＣ部品等に供給するための直流電圧を生成している。また、交流電源１によって供給される交流電圧は、ダイオードＤ６０２によって半波整流され、その半波整流された電流は、抵抗Ｒ６０７によって電流制限される。そして、ツェナーダイオードＺＤ６０２によって定電圧が生成され、さらに、コンデンサＣ６０３によって平滑されて、２５Ｖ程度の通信用電源が生成される。
【００１５】
熱源側ユニット５１及び利用側ユニット５２における上記のような回路の構成と、端子Ｓ３−Ｓ３間及びＳ２−Ｓ２間が接続される経路とによってカレントループが形成されている。また、熱源側ユニット５１における抵抗Ｒ６０１及び利用側ユニット５２における抵抗Ｒ１３２は、このカレントループに流れる電流を制限し過電流を抑制している。また、熱源側ユニット５１におけるダイオードＤ６０１及び利用側ユニット５２におけるダイオードＤ１３２は、カレントループの電流の方向を制限している。そして、熱源側ユニット５１における送信フォトカプラＰＣ６０２及び利用側ユニット５２における送信フォトカプラＩＣ１３１が、このカレントループに流れる電流のＯＮ／ＯＦＦ状態を生成し、熱源側ユニット５１における受信フォトカプラＰＣ６０１及び利用側ユニット５２における受信フォトカプラＩＣ１３２が、この電流のＯＮ／ＯＦＦを検出することによって、熱源側ユニット５１及び利用側ユニット５２は、互いに通信を行う。
【００１６】
誤接続検知回路４は、熱源側ユニット５１における交流電源接続及びアース線接続に対する誤接続を検知する。
【００１７】
ゼロクロス回路１２は、熱源側ユニット５１から利用側ユニット５２の端子Ｓ１及びＳ２間に入力される交流電圧のゼロクロスを検出する。そして、その端子Ｓ１及びＳ２から電源回路１１に交流電圧が供給され、内部ＩＣ部品等に供給するための直流電圧を生成する。
【００１８】
次に、図２及び図３を参照しながら、熱源側ユニット５１と利用側ユニット５２とが誤配線された場合の動作について説明する。
熱源側ユニット５１が交流電源１から受電される場合、室内外端子のＳ１、Ｓ２及びＳ３間の誤配線によって利用側ユニット５２の低圧回路部、すなわち通信回路に交流電圧が印加されることがある（図２（２）及び図３（４）参照）。このとき、送信フォトカプラＩＣ１３１には高耐圧のフォトカプラを用い、ダイオードＤ１３１及びダイオードＤ１３２において電流が流れないようにして保護している。しかし、交流電圧が印加されている状態においてこの送信フォトカプラＩＣ１３１がＯＮした場合、通信回路に使用されている部品が破壊されてしまう可能性がある。そのため、誤配線時において送信フォトカプラＩＣ１３１がＯＮしないようにすることが必要となる。
【００１９】
その手法の一つとして、交流電圧入力の遮断検知及び長時間タイマ等、別の目的で用いられているゼロクロス回路１２を流用することによって、室内外端子のＳ１、Ｓ２及びＳ３間の誤配線を検知し、送信フォトカプラＩＣ１３１がＯＮしないようにすることが可能である。図２（２）及び（３）並びに図３（４）及び（５）で示される誤配線状態においては、ゼロクロス回路１２に交流電圧が印加されず、そのゼロクロス検出出力はマイコン（図示せず）に入力されない。これによって、誤配線であることが判別できるので、送信フォトカプラＩＣ１３１がＯＮしないようにすることで、通信回路の保護が可能となる。また、図１の正常配線及び図２（１）の誤配線の場合においては、ゼロクロス回路１２に、交流電圧が印加され、そのゼロクロス検出出力がマイコンに入力されることで、交流電圧の入力があることを検出でき、図２（１）の誤配線状態においては、通信回路に高電圧である交流電圧が印加されないので、通信回路の破壊はない。
【００２０】
以上のような構成及び動作によって、他の目的で使用されているゼロクロス回路１２を流用することによって、室内外端子のＳ１、Ｓ２及びＳ３間の誤配線を検知し、送信フォトカプラＩＣ１３１がＯＮしないようにすることによって、通信回路の保護が可能となる。
また、誤配線保護の目的のみに新たに部品等を追加する必要がないため、スペース０及びコスト０によって誤配線保護を実施することができる。
【００２１】
なお、上記の実施の形態１に係る冷凍サイクル装置においては、室外機における熱源側ユニット５１は、交流電源１から交流電圧を受電し、その内部に備える通信電源生成回路３によって通信用電源が生成され、そして、室内機における利用側ユニット５２は、ゼロクロス回路１２を備える構成となっているが、この構成に限定するものではなく、室内機における利用側ユニット５２が、交流電源１から交流電圧を受電し、その内部に通信電源生成回路３を備え、そして、室外機における熱源側ユニット５１が、ゼロクロス回路１２を備える構成としてもよい。
【００２２】
実施の形態２．
図４は、実施の形態２に係る冷凍サイクル装置の室内機における利用側ユニット５２の電源回路１１の概略図であり、必要最低限の部品のみを示している。以下、前述の実施の形態１のものと相違する構成及び動作を中心に説明する。実施の形態２においては、ゼロクロス回路１２が設置されていない場合において、室内外端子のＳ１、Ｓ２及びＳ３間の配線についての誤配線保護を実施する方法について説明する。
【００２３】
まず、図４を参照しながら、電源回路１１の回路構成について説明する。
利用側ユニット５２における端子Ｓ１及びＳ２は、ダイオードブリッジＤＢ１の入力側に接続されている。そのダイオードブリッジＤＢ１の出力端には、平滑コンデンサＣ１１１が並列に接続されている。そして、その平滑コンデンサＣ１１１の両端には、直列に接続されたトランスＴ１１１の１次側及びスイッチング素子ＩＣ１１１が、並列に接続されている。
【００２４】
トランスＴ１１１の２次側、すなわちトランスＴ１１１の出力端のうちの一端は、ダイオードＤ１１３を経由して、３端子レギュレータＩＣ１１２の入力端子に接続されている。また、３端子レギュレータＩＣ１１２の入力端子及びトランスＴ１１１の出力端のうちの他端には、平滑コンデンサＣ１１３が接続されており、そのトランスＴ１１１の出力端のうちの他端は、３端子レギュレータＩＣ１１２のＣＯＭ端子に接続されている。また、平滑コンデンサＣ１１３の両端には、負荷抵抗Ｒ１が並列に接続されている。そして、３端子レギュレータＩＣ１１２の出力端子は、平滑コンデンサＣ１１６の一端に接続されており、その他端は３端子レギュレータＩＣ１１２のＣＯＭ端子に接続され接地されている。さらに、３端子レギュレータＩＣ１１２の出力端子は、マイコン２１及びリセットＩＣ２２に接続されており、そのリセットＩＣ２２の出力端子は、マイコン２１に接続されている。
【００２５】
次に、熱源側ユニット５１及び利用側ユニット５２の端子台の配線が正常に実施されている場合の電源回路の動作について説明する。
利用側ユニット５２における端子Ｓ１及びＳ２間には、熱源側ユニット５１における端子Ｓ１及びＳ２より交流電圧が供給され、その交流電圧は、ダイオードブリッジＤＢ１に入力され、全波整流される。そして、その全波整流された電圧は平滑コンデンサＣ１１１によって平滑される。さらに、スイッチング素子ＩＣ１１１は、平滑コンデンサＣ１１１の両端電圧が、所定の電圧に達すると、スイッチングＯＮ状態となり、トランスＴ１１１を介して、２次側に電力エネルギーが伝達される。
【００２６】
トランスＴ１１１を介して１次側より伝達された電圧は、ダイオードＤ１１３によって半波整流される。そして、その半波整流された電圧は平滑コンデンサＣ１１３によって平滑され、その平滑コンデンサＣ１１３の両端にＶＤＤ１２Ｖ電源を生成する。さらに、このＶＤＤ１２Ｖ電源は、３端子レギュレータＩＣ１１２によって、電圧を落とされマイコン駆動用電源であるＶＤＤ５Ｖ電源を生成する。このＶＤＤ５Ｖ電源は、平滑コンデンサＣ１１６によって平滑されている。また、リセットＩＣ２２は、マイコン駆動用電源であるＶＤＤ５Ｖを監視し、所定の電圧よりも低い場合は、マイコン２１を駆動させないためにマイコン２１にリセット信号を出力する。
【００２７】
次に、図１〜図３を参照しながら、熱源側ユニット５１と利用側ユニット５２とが誤配線された場合の動作について説明する。
図２（２）及び（３）並びに図３（４）及び（５）で示される誤配線状態においては、利用側ユニット５２における端子Ｓ１及びＳ２間に、直接交流電圧が入力されない。詳しくは、図２（２）及び図３（５）においては、通信用電源が、利用側ユニット５２側の交流電圧用端子に入力され、図２（３）及び図３（４）においては、誤接続検知回路４を経由して交流電圧用端子に入力される。
【００２８】
まず、図２（２）及び図３（５）で示される誤配線状態においては、通信用電源は２５Ｖ程度しかなく、かつ抵抗Ｒ６０７及びＲ６０１等によって電流制限を受けるため、利用側ユニット５２への電力の供給力が非常に小さいものとなる。この電力の供給によって平滑コンデンサＣ１１１の両端電圧が上昇し、スイッチング素子ＩＣ１１１がＯＮ状態となるが、平滑コンデンサＣ１１１への充電よりも、スイッチング素子ＩＣ１１１がスイッチングＯＮ状態となることによる放電の方が大きく、短時間のスイッチングＯＮ動作によって平滑コンデンサＣ１１１の電圧が大きく低下する。そのため、スイッチング素子ＩＣ１１１のＯＮ状態が継続せず、平滑コンデンサＣ１１１の両端電圧が、再びスイッチング素子ＩＣ１１１の起動に必要な所定の電圧になるとスイッチング動作を再開するという間欠スイッチングとなる。その結果、図５で示されるように、２次側の電圧が周期的に充電・放電を繰り返し、安定しない。この図５において、Ｃｈ１がＶＤＤ１２Ｖ、Ｃｈ２がＶＤＤ５Ｖ、そして、Ｃｈ３がリセットＩＣ２２の出力（Ｈｉがリセット解除状態）となっている。このとき、ＶＤＤ１２Ｖを生成している平滑コンデンサＣ１１３の両端に、適切な負荷抵抗Ｒ１が接続されることで、誤配線時における電力の供給力が低い状態においては、ＶＤＤ１２Ｖが十分に立ち上がらなくなる。さらに、これを元に生成されるＶＤＤ５Ｖについても十分に立ち上がらなくなり、リセットＩＣ２２がリセットを解除する電圧（以下、リセット解除電圧という）より低く抑えられることによってリセットが解除されなくすることができる。一般に、３端子レギュレータの入出力電圧差は２Ｖ程度であるため、例えば、リセットＩＣ２２によるリセット解除電圧を４Ｖとした場合、誤配線時における電力の供給力が低い状態のときにＶＤＤ１２ＶのＭＡＸ値を６Ｖ以下とするような負荷抵抗Ｒ１が接続されることで、リセットＩＣ２２によるリセット解除をさせなくすることができる。
【００２９】
次に、図２（３）及び図３（４）で示される誤配線状態においては、誤接続検知回路４と利用側ユニット５２における電源回路１１のインピーダンスにより分圧された電圧が利用側ユニット５２における端子Ｓ１及びＳ２に印加されることになる。抵抗Ｒ６０５は１００ｋΩと大きな抵抗値のものが使用されており、利用側ユニット５２における端子Ｓ１及びＳ２に印加される電圧が低く抑えられているのに加え、電流も大きく絞られている。したがって、図２（２）及び図３（５）の誤配線状態における場合と同様に利用側ユニット５２への電力の供給力が非常に小さいものとなっており、この供給によるＶＤＤ１２Ｖ及びＶＤＤ５Ｖの立ち上がりが負荷抵抗Ｒ１の接続によって抑制され、リセットＩＣ２２によるリセット解除がされなくすることができる。
【００３０】
もちろん、負荷抵抗Ｒ１の値は、図１で示される正常配線における電源立ち上がりに問題のない値にする必要があるが、上記のように図１における正常配線時と図２（２）及び（３）並びに図３（１）及び（２）における誤配線状態とでは明確な電力の供給力の差があるため、問題なく設定可能である。また、図２（１）の誤配線状態においては、通信回路に高電圧である交流電圧が印加されないので、通信回路の破壊はない。
【００３１】
以上のような構成及び動作によって、図２（２）及び（３）並びに図３（４）及び（５）で示される誤配線状態においては、負荷抵抗Ｒ１を接続することによって、リセットＩＣ２２によるマイコン２１のリセット解除をさせないようにできるので、送信フォトカプラＩＣ１３１がＯＮせず、通信回路の保護が可能となる。
また、上記のような誤配線保護が、負荷抵抗Ｒ１の追加のみで可能となるため、省スペースかつ省コストを実現できる。
【００３２】
なお、上記の実施の形態２に係る冷凍サイクル装置においては、室外機における熱源側ユニット５１は、交流電源１から交流電圧を受電し、室内機における利用側ユニット５２に交流電圧を供給し、そして、室内機における利用側ユニット５２は、前述した誤配線保護を実施可能とする電源回路１１を備えているが、この構成に限定するものではなく、室内機における利用側ユニット５２が、交流電源１から交流電圧を受電し、室外機における熱源側ユニット５１に交流電圧を供給し、そして、室外機における熱源側ユニット５１が備える電源回路２が、前述した誤配線保護を可能とするような構成としてもよい。
【００３３】
実施の形態３．
実施の形態３における以下の説明では、前述の実施の形態２のものと相違する構成及び動作を中心に説明する。
実施の形態２においては、トランスＴ１１１の２次側に負荷抵抗Ｒ１が設けられているが、実施の形態３においては、図４で示されるように、その１次側の平滑コンデンサＣ１１１の両端に、負荷抵抗Ｒ２が並列に接続されている。
【００３４】
このとき、図２（２）及び（３）並びに図３（４）及び（５）で示される誤配線状態における場合の、電力の供給力が低い状態においては、適切な負荷抵抗Ｒ２が設けられることによって、平滑コンデンサＣ１１１の両端電圧が十分に立ち上がらなくなる。そして、これを元に、トランスＴ１１１を介して生成されるＶＤＤ１２Ｖ及びＶＤＤ５Ｖについても十分に立ち上がらなくなり、リセットＩＣ２２によるリセットが解除されなくすることができる。ただし、負荷抵抗Ｒ２は、正常配線時の電源動作に支障がない抵抗値を持つものにする必要がある。
【００３５】
以上のような構成及び動作によって、図２（２）及び（３）並びに図３（４）及び（５）で示される誤配線状態においては、負荷抵抗Ｒ２を接続することによって、リセットＩＣ２２によるマイコン２１のリセット解除をさせないようにできるので、送信フォトカプラＩＣ１３１がＯＮせず、通信回路の保護が可能となる。
また、上記のような誤配線保護が、負荷抵抗Ｒ２の追加のみで可能となるため、省スペースかつ省コストを実現できる。
【００３６】
なお、さらに負荷抵抗Ｒ２として適切なものを設け、さらに平滑コンデンサＣ１１１の両端電圧の立ち上がりを十分に抑えることによって、スイッチング素子ＩＣ１１１がスイッチングＯＦＦ状態とさせることできる。
これによって、トランスＴ１１１の２次側への電圧の供給を遮断し、マイコン２１の起動を停止させることができるので、送信フォトカプラＩＣ１３１がＯＮすることがなく、通信回路の保護が可能となる。
また、実施の形態２及び実施の形態３を組み合わせて誤配線保護を実現させることも可能である。
【００３７】
実施の形態４．
図６は、実施の形態４に係る冷凍サイクル装置における誤配線時においてリセット解除まで遅延を持たせた場合の２次側電圧波形図である。実施の形態４における以下の説明では、前述の実施の形態２及び実施の形態３のものと相違する構成及び動作を中心に説明する。
【００３８】
実施の形態２及び実施の形態３においては、リセットＩＣ２２によるリセットが解除されないようにするために、実施の形態２においては負荷抵抗Ｒ１、そして、実施の形態３においては負荷抵抗Ｒ２が設けられているが、実施の形態４では、ＶＤＤ５Ｖがリセット解除電圧に達した時点からリセットＩＣ２２がリセット解除を実施するまで遅延を持たせている。これによって、ＶＤＤ５Ｖがリセット解除電圧以上となるわずかの時間においては、リセットＩＣ２２によるリセットが解除されないようにすることができる。図６で示されるように、ＶＤＤ５Ｖがリセット解除電圧以上となっているが、上記の遅延が設けられたことによって、リセットが解除されていないことが確認できる。ただし、リセット解除時間の遅延は正常配線時の制御に支障がない時間内に抑える必要がある。
【００３９】
以上のような構成及び動作によって、図２（２）及び（３）並びに図３（４）及び（５）で示される誤配線状態においては、リセットＩＣ２２によるリセット解除まで遅延を持たせることによってリセット解除をさせないようにできるので、送信フォトカプラＩＣ１３１がＯＮせず、通信回路の保護が可能となる。
また、上記の遅延を持たせることで、リセットＩＣ２２によるリセット解除をさせないようにできるので、負荷抵抗Ｒ１又は負荷抵抗Ｒ２の抵抗値を高く設定することができ、正常配線時におけるこれらの負荷抵抗での消費電力を抑えることができる。
【００４０】
なお、上記の遅延がない場合で、リセット解除時間が非常に短時間である場合においては、この遅延を設けることで、負荷抵抗Ｒ１及び負荷抵抗Ｒ２の設置を不要とすることも可能である。
【００４１】
実施の形態５．
図７は、実施の形態５に係る冷凍サイクル装置の正常配線時の運転中において負荷抵抗における消費電力を０とする電源回路図である。実施の形態５における以下の説明では、前述の実施の形態２〜実施の形態４のものと相違する構成及び動作を中心に説明する。
【００４２】
図７において、３端子レギュレータＩＣ１１２の出力端子は、ＰＮＰトランジスタＱ１のエミッタに接続されている。また、そのＰＮＰトランジスタＱ１のコレクタは、ＮＰＮトランジスタＱ２のベースに接続されている。また、一端が３端子レギュレータＩＣ１１２の入力端子に接続されている負荷抵抗Ｒ１の他端は、ＮＰＮトランジスタＱ２のコレクタに接続されている。そして、そのＮＰＮトランジスタＱ２のエミッタは平滑コンデンサＣ１１３の一端に接続されており、かつ、接地されている。さらに、ＰＮＰトランジスタＱ１のベースには、リセットＩＣ２２の出力端子及びマイコン２１に接続されている。
【００４３】
次に、図７で示される電源回路１１の動作について、その動作概略を示した表１を参照しながら説明する。
電源投入時においてＶＤＤ５Ｖがリセット解除電圧以下である場合、リセットＩＣ２２の出力はＬｏであり、この出力がマイコン２１に送信され、リセット状態となっている。このＶＤＤ５Ｖがある程度の電圧まで上昇すると、ＰＮＰトランジスタのベース・エミッタ間電圧が大きくなり、ＰＮＰトランジスタがＯＮ状態になる。そして、ＮＰＮトランジスタＱ２のベースがＨｉとなり、ＮＰＮトランジスタＱ２のベース・エミッタ間電圧が大きくなり、ＮＰＮトランジスタがＯＮ状態になる。その結果、負荷抵抗Ｒ１に通電される。
【００４４】
次に、ＶＤＤ５Ｖの電圧がリセット解除電圧以上になった場合、リセットＩＣ２２の出力は、Ｈｉとなり、ＰＮＰトランジスタＱ１はＯＦＦ状態となる。そして、ＮＰＮトランジスタＱ２のベースもＬｏとなり、ＮＰＮトランジスタＱ２はＯＦＦ状態となる。その結果、ＮＰＮトランジスタＱ２によって、負荷抵抗Ｒ１に流れる電流が遮断される態様となり、負荷抵抗Ｒ１には通電されないようになる。
【００４５】
【表１】
2011058800.tif 000003
【００４６】
以上のような構成及び動作によって、正常配線時におけるリセット解除後においては、負荷抵抗Ｒ１における通電がないため、負荷抵抗Ｒ１における消費電力は０とすることができる。
また、図２（２）及び（３）並びに図３（４）及び（５）で示される誤配線状態においては、負荷抵抗Ｒ１に通電されるので、通信回路の保護が可能となる。
そして、上記のような回路構成が、トランジスタ２つ及び負荷抵抗Ｒ１の追加のみで可能となり、省スペースかつ省コストを実現できる。
【００４７】
なお、実施の形態２〜実施の形態４及び実施の形態５を組み合わせて誤配線保護を実現させることも可能である。
【００４８】
実施の形態６．
図８は、実施の形態６に係る冷凍サイクル装置におけるマイコン２１のプログラムによって設けられた通信開始遅延時間を示す図である。実施の形態６における以下の説明では、前述の実施の形態２のものと相違する構成及び動作を中心に説明する。
【００４９】
実施の形態２においては、リセットＩＣ２２によるリセットが解除されないようにするために、負荷抵抗Ｒ１が設けられることによってＶＤＤ５Ｖの立ち上がりを抑え、リセットＩＣ２２によるリセットが解除されないようにしているが、実施の形態６においては、ＶＤＤ５Ｖの立ち上がりそのものを電子部品等のハードウェアによって抑えるのではなく、ＶＤＤ５Ｖの立ち上がりによってリセットＩＣ２２によるリセット解除後、マイコン２１のプログラムによって通信開始までの所定の遅延時間、すなわち、通信開始遅延時間ｔが設けられている。この通信開始遅延時間ｔが設けられることによって、図２（２）及び（３）並びに図３（４）及び（５）で示される誤配線状態において電力の供給力が低いために、その通信開始遅延時間ｔにＶＤＤ５Ｖが低下するので再びリセット状態となる。
【００５０】
以上のような構成及び動作によって、送信フォトカプラＩＣ１３１がＯＮせず、通信回路の保護が可能となる。
また、電子部品等のハードウェアではなく、マイコン２１のプログラムであるソフトウェアによって誤配線保護が可能となるので、スペース０かつコスト０が実現できる。
【００５１】
なお、実施の形態２〜実施の形態５及び実施の形態６を組み合わせて誤配線保護を実現させることも可能である。
【００５２】
実施の形態７．
図９は、実施の形態７に係る冷凍サイクル装置における構成回路の概略図である。実施の形態７における以下の説明では、前述の実施の形態２のものと相違する構成及び動作を中心に説明する。
【００５３】
利用側ユニット５２における電源回路１１に、整流平滑された電圧を検出するための低入力電圧検出手段３１をＣ１１１と並列に設け、その検出電圧によってスイッチング素子ＩＣ１１１のスイッチングＯＮ／ＯＦＦ動作が可能なように配線されている。
【００５４】
実施の形態２において説明しているように、図２（２）及び（３）並びに図３（４）及び（５）で示される誤配線状態における場合の、電力の供給力が低い状態においては、利用側ユニット５２における端子Ｓ１及びＳ２間には低電圧が印加され、Ｃ１１１の両端にかかる電圧は低くなる。このとき、低入力電圧検出手段３１によってこの利用側ユニット５２における電源回路１１への低入力検出され、所定の電圧より低い場合、スイッチング素子ＩＣ１１１はスイッチングＯＦＦ状態となる。
【００５５】
以上のような構成及び動作によって、トランスＴ１１１の２次側への電圧の供給を遮断し、マイコン２１の起動を停止させることができるので、送信フォトカプラＩＣ１３１がＯＮすることなく、通信回路の保護が可能となる。
【００５６】
なお、既存のスイッチング素子には、低入力電圧検出機能を持ち、低電圧の検出時にスイッチングＯＦＦ状態にするものがあり、これを使用することも可能である。
この場合、センシング抵抗の追加もしくは追加部品無しでこの機能を使用することができ、省スペースかつ省コストを実現できる。
ここでは低入力電圧検知機能を活用することを説明したが、スイッチング開始起動電圧が誤配線状態図２（２）及び（３）並びに図３（４）及び（５）における低電圧入力よりも高いスイッチング素子を使用することでも同様な効果を得ることができる。
【００５７】
実施の形態８．
図１０は、実施の形態１〜実施の形態７に係る冷凍サイクル装置を空気調和機に搭載した場合の構成図の例である。
実施の形態８に係る空気調和機における冷凍サイクルの内部を循環する冷媒の流路は、まず、室外機１０１における圧縮機６１から、四方弁６２、第１熱交換器６３、そして、膨張弁６４を経由し、室外機１０１の外部へ流出する。室外機１０１の外部へ流出した冷媒は、室内機１０２における第２熱交換器６５を経由し、室内機１０２の外部へ流出する。そして、室内機１０２の外部へ流出した冷媒は、再び室外機１０１における四方弁６２を経由して、圧縮機６１へ戻る。
【００５８】
第１熱交換器６３において外気の空気と熱交換が実施され、第２熱交換器６５において、室内の空気と熱交換が実施される。
【００５９】
熱源側ユニット５１は、室外機１０１内に設置されており、外部の交流電源１から交流電圧が供給される。また、利用側ユニット５２は、室内機１０２内に設置されており、実施の形態１〜実施の形態７において説明した構成によって、室外機１０１における熱源側ユニット５１と電気的に接続されている。
【００６０】
以上の構成によって、実施の形態１〜実施の形態７において説明した誤配線保護が施された冷凍サイクル装置を備える空気調和機を得ることができる。
【００６１】
なお、図１０で示された空気調和機の構成は、あくまで一例であり、異なる構成によって実施の形態１〜実施の形態７に係る冷凍サイクル装置を搭載するものとしてもよい。
【００６２】
実施の形態９．
図１１は、実施の形態１〜実施の形態７に係る冷凍サイクル装置を給湯器に搭載した場合の構成図の例である。
冷凍サイクル部１１１内において、圧縮機６１、放熱器６７、膨張弁６４及び蒸発器６６によって冷凍サイクルが構成されている。その冷凍サイクル内部を循環する冷媒の流路は、圧縮機６１から、放熱器６７、膨張弁６４、そして、蒸発器６６を経由して、再び圧縮機６１へ戻る。
【００６３】
蓄熱回路部１１２内においては、ポンプ６９、放熱器６７及びタンク６８によって水循環サイクルが構成されている。その水循環サイクル内部を循環する水の流路は、ポンプ６９から、放熱器６７、そして、タンク６８を経由して、再びポンプ６９へ戻る。
【００６４】
水循環サイクルにおける水は、放熱器６７を介して、冷凍サイクル内における冷媒から熱エネルギーが供給され、温度が高められた水がタンク６８に貯められる。
【００６５】
熱源側ユニット５１は、冷凍サイクル部１１１内に設置されており、外部の交流電源１から交流電圧が供給される。また、利用側ユニット５２は、蓄熱回路部１１２内に設置されており、実施の形態１〜実施の形態７において説明した構成によって、冷凍サイクル部１１１における熱源側ユニット５１と電気的に接続されている。
【００６６】
以上の構成によって、実施の形態１〜実施の形態７において説明した誤配線保護が施された冷凍サイクル装置を備える給湯器を得ることができる。
【００６７】
なお、図１１で示された給湯器の構成は、あくまで一例であり、異なる構成によって実施の形態１〜実施の形態７に係る冷凍サイクル装置を搭載するものとしてもよい。
【符号の説明】
【００６８】
１  交流電源、２  電源回路、３  通信電源生成回路、４  誤接続検知回路、１１  電源回路、１２  ゼロクロス回路、２１  マイコン、２２  リセットＩＣ、３１  低入力電圧検出手段、５１  熱源側ユニット、５２  利用側ユニット、６１  圧縮機、６２  四方弁、６３  第１熱交換器、６４  膨張弁、６５  第２熱交換器、６６  蒸発器、６７  放熱器、６８  タンク、６９  ポンプ、１０１  室外機、１０２  室内機、１１１  冷凍サイクル部、１１２  蓄熱回路部、Ｃ１１１、Ｃ１１３、Ｃ１１６  平滑コンデンサ、Ｃ１３３、Ｃ１３４、Ｃ６０２、Ｃ６０３  コンデンサ、Ｄ１１３、Ｄ１２１、Ｄ１２２、Ｄ１３１、Ｄ１３２、Ｄ６０１、Ｄ６０２、Ｄ６０５  ダイオード、ＤＢ１  ダイオードブリッジ、ＩＣ１１１  スイッチング素子、ＩＣ１１２  ３端子レギュレータ、ＩＣ１２１  フォトカプラ、ＩＣ１３１  送信フォトカプラ、ＩＣ１３２  受信フォトカプラ、ＰＣ６０１  受信フォトカプラ、ＰＣ６０２  送信フォトカプラ、ＰＣ６０３  フォトカプラ、Ｑ１  ＰＮＰトランジスタ、Ｑ２  ＮＰＮトランジスタ、Ｒ１、Ｒ２  負荷抵抗、Ｒ１２１、Ｒ１３２、Ｒ１３３、Ｒ６０１、Ｒ６０２、Ｒ６０３、Ｒ６０５、Ｒ６０７  抵抗、Ｔ１１１  トランス、ＺＤ６０２  ツェナーダイオード。
【図１】
2011058800.tif 000004
【図２】
2011058800.tif 000005
【図３】
2011058800.tif 000006
【図４】
2011058800.tif 000007
【図７】
2011058800.tif 000008
【図９】
2011058800.tif 000009
【図１０】
2011058800.tif 000010
【図１１】
2011058800.tif 000011
【図５】
2011058800.tif 000012
【図６】
2011058800.tif 000013
【図８】
2011058800.tif 000014